(57)【特許請求の範囲】
【請求項１】
受信した画像を表示する情報表示装置と、
前記情報表示装置ごとに設けられ、主画像提供装置と副情報提供装置と前記情報表示装置に通信自在に接続された画像混合装置と、
前記画像混合装置と通信自在に接続され、視聴者による所定の動作を検知する検知器と、
を備え、
前記画像混合装置は、前記主画像提供装置から主画像を受信中に前記副情報提供装置から副情報を受信すると、前記主画像が隠れないように前記主画像と受信した前記副情報とを合成し、その合成画像を前記情報表示装置に送信し、該合成画像表示状態で前記検知器によって前記視聴者が前記副情報を確認したことを表す前記所定の動作が検知されると、前記合成画像表示状態を解除して前記主画像のみを前記情報表示装置に送信し、
さらに、前記画像混合装置は、前記合成画像を送信した日時、および、前記検知器によって前記所定の動作が検知された日時の少なくとも一方を記憶する記憶装置を備える、
ことを特徴とする情報表示システム。
【請求項２】
前記画像混合装置は、前記合成画像表示状態が第１の所定時間継続すると、前記合成画像における前記主画像を小さくし前記副情報を大きくして前記情報表示装置に送信する、
ことを特徴とする請求項１に記載の情報表示システム。
【請求項３】
前記画像混合装置は、前記合成画像表示状態が第２の所定時間継続すると、前記合成画像に代って前記副情報を表す画像を前記情報表示装置に送信する、
ことを特徴とする請求項１または２のいずれか１項に記載の情報表示システム。
【請求項４】
前記画像混合装置は、前記情報表示装置に表示すべき前記副情報の属性を記憶し、前記副情報提供装置から受信した前記副情報の属性が記憶された属性に該当する場合に、前記副情報を表す画像を前記情報表示装置に送信する、
ことを特徴とする請求項１から３のいずれか１項に記載の情報表示システム。
【発明の詳細な説明】
【技術分野】
【０００１】
この発明は、提供された各種の情報を表示する情報表示システムに関し、特に、画像と情報を同時に表示可能な情報表示システムに関する。
【背景技術】
【０００２】
情報を画像で表示する情報表示装置には、テレビ放送の電波を受信して映像を表示するテレビ受信機や、インターネット等から受信した情報を表示するパーソナルコンピュータのモニタ、街中や電車などで広告を表示するデジタルサイネージなど、多種多様なものが存在する。このような情報表示装置において、緊急警報放送に対応したものが知られている。
【０００３】
例えば、地震や津波などの緊急事態が発生し、テレビ放送局が外部機関から緊急情報を受信すると、テレビ放送の映像と緊急情報とを合成して送信・放送する。そして、これを受信したテレビ受信機に、テレビ放送の映像と緊急情報とが同時に表示されるものである。また、テレビ受信機がスタンバイ状態であっても、緊急情報を受信すると起動して緊急情報を表示する技術が知られている（例えば、特許文献１参照。）。
【先行技術文献】
【特許文献】
【０００４】
【特許文献１】特開２０１４−０５３７４５号公報
【発明の概要】
【発明が解決しようとする課題】
【０００５】
ところで、テレビ受信機に緊急情報が表示されても、視聴者がその緊急情報を確実に見て、認識したか否かはわからない。すなわち、視聴者が見たかどうかに関わらず、一律に緊急情報が一定時間表示されるだけであり、このため、視聴者が緊急情報を適正に認識せずに、避難に遅れたり避難できなかったりするおそれがある。
【０００６】
しかも、避難に遅れたり避難できなかったりした場合に、その原因を検証することが困難であった。すなわち、緊急情報が送信、表示されなかったことが原因なのか、緊急情報の送信、表示はされたが視聴者側による原因なのか、などが判別できなかった。
【０００７】
そこでこの発明は、緊急情報などを視聴者により確実に認識させることを可能にする情報表示システムを提供することを目的とする。
【課題を解決するための手段】
【０００８】
上記目的を達成するために請求項１に記載の発明は、受信した画像を表示する情報表示装置と、前記情報表示装置ごとに設けられ、主画像提供装置と副情報提供装置と前記情報表示装置に通信自在に接続された画像混合装置と、前記画像混合装置と通信自在に接続され、視聴者による所定の動作を検知する検知器と、を備え、前記画像混合装置は、前記主画像提供装置から主画像を受信中に前記副情報提供装置から副情報を受信すると、前記主画像が隠れないように前記主画像と受信した前記副情報とを合成し、その合成画像を前記情報表示装置に送信し、該合成画像表示状態で前記検知器によって前記視聴者が前記副情報を確認したことを表す前記所定の動作が検知されると、前記合成画像表示状態を解除して前記主画像のみを前記情報表示装置に送信し、さらに、前記画像混合装置は、前記合成画像を送信した日時、および、前記検知器によって前記所定の動作が検知された日時の少なくとも一方を記憶する記憶装置を備える、ことを特徴とする情報表示システムである。
【０００９】
請求項２に記載の発明は、請求項１に記載の情報表示システムにおいて、前記画像混合装置は、前記合成画像表示状態が第１の所定時間継続すると、前記合成画像における前記主画像を小さくし前記副情報を大きくして前記情報表示装置に送信する、ことを特徴とする。
【００１０】
請求項３に記載の発明は、請求項１または２のいずれか１項に記載の情報表示システムにおいて、前記画像混合装置は、前記合成画像表示状態が第２の所定時間継続すると、前記合成画像に代って前記副情報を表す画像を前記情報表示装置に送信する、ことを特徴とする。
【００１２】
請求項４に記載の発明は、請求項１から３のいずれか１項に記載の情報表示システムにおいて、前記画像混合装置は、前記情報表示装置に表示すべき前記副情報の属性を記憶し、前記副情報提供装置から受信した前記副情報の属性が記憶された属性に該当する場合に、前記副情報を表す画像を前記情報表示装置に送信する、ことを特徴とする。
【発明の効果】
【００１３】
請求項１に記載の発明によれば、主画像提供装置から主画像が送信されて主画像のみが情報表示装置に表示中に、副情報提供装置から副情報が送信されると、主画像が隠れないように主画像と受信した副情報とを合成し、その合成画像が情報表示装置に表示される。そして、この合成画像表示状態で視聴者が所定の動作を行うと、より具体的には、請求項２、３のように視聴者が副情報を確認したことを表す所定の動作を行うと、合成画像表示状態が解除されて主画像のみが情報表示装置に表示される。すなわち、視聴者が副情報を見て所定の動作を行わなければ、合成画像が表示されたままになるため、緊急情報などの副情報を視聴者により確実に認識させることが可能となる。
【００１４】
また、画像混合装置が情報表示装置ごとに設けられ、画像混合装置で合成画像を生成、送信するため、各情報表示装置つまり各視聴者に応じて副情報を表示して、副情報を視聴者により確実に認識させることが可能となる。例えば、情報表示装置の種類や形状などに応じて、副情報を認識しやすい合成画像を生成、表示することで、視聴者に副情報をより確実に認識させることが可能となる。
【００１５】
請求項２に記載の発明によれば、視聴者が所定の動作を行わずに、合成画像が第１の所定時間継続して表示されると、主画像が小さくなり副情報が大きくなって表示されるため、視聴者に副情報をより確実に認識させることが可能となる。
【００１６】
請求項３に記載の発明によれば、視聴者が所定の動作を行わずに、合成画像が第２の所定時間継続して表示されると、副情報のみが表示されるため、視聴者に副情報をより確実に認識させることが可能となる。
【００１７】
また、請求項１に記載の発明によれば、画像混合装置が合成画像を送信した日時、つまり、副情報を含む合成画像が情報表示装置に表示された日時、および、検知器によって所定の動作が検知された日時、つまり、視聴者が所定の動作を行った日時、の少なくとも一方が記憶装置に記憶される。このため、緊急情報などの副情報が適正に送信、表示されたか、視聴者が副情報を見たか、などを確認することができる。この結果、例えば、避難に遅れたり避難できなかったりした場合に、その原因を検証することが可能となる。
【００１８】
請求項４に記載の発明によれば、予め記憶された属性に該当する副情報のみが情報表示装置に表示されるため、視聴者に知らせるべき副情報のみを選択的に表示させることが可能となる。この結果、無用な情報の提供を回避して、知らせるべき副情報を視聴者により確実に認識させることが可能となる。
【図面の簡単な説明】
【００１９】
【図１】この発明の実施の形態に係る情報表示システムを示す概略構成図である。
【図２】図１の情報表示システムの画像混合装置を示す概略構成ブロック図である。
【図３】図１の情報表示システムのテレビ受信機の一面表示状態（ａ）と合成画像表示状態（ｂ）を示す図である。
【図４】図１の情報表示システムの作用、動作を示すフローチャートである。
【図５】図４のフローチャートに伴って変化するテレビ受信機の画面状態を示す図であり、（ａ）は、全面にテレビ映像が表示された状態を示し、（ｂ）は、大きいテレビ映像と小さい緊急情報が表示された状態を示し、（ｃ）は、同程度の大きさのテレビ映像と緊急情報が表示された状態を示し、（ｄ）は、小さいテレビ映像と大きい緊急情報が表示された状態を示し、（ｅ）は、全面に緊急情報が表示された状態を示し、（ｆ）は、全面にテレビ映像が表示された状態を示す。
【発明を実施するための形態】
【００２０】
以下、この発明を図示の実施の形態に基づいて説明する。
【００２１】
図１〜図５は、この発明の実施の形態を示し、図１は、この実施の形態に係る情報表示システム１を示す概略構成図である。この情報表示システム１は、提供された各種の情報を同時に表示可能なシステムであり、この実施の形態では、主画像であるテレビ映像・画像と副情報である緊急情報とを同時に表示する場合を例にして、主として以下に説明する。
【００２２】
主画像提供装置としてのテレビ放送装置２は、主画像であるテレビの映像や音声、データ（付加情報）を含むテレビ放送信号を送信・配信する装置であり、電波で送出するものや有線で送出するもの（ケーブルテレビ）などを含む。
【００２３】
副情報提供装置としての情報提供サーバ３は、副情報である緊急情報（災害情報）を送信・配信する装置であり、複数の情報提供装置・サーバ（図示せず）から情報を収集して緊急情報を配信する。すなわち、各省庁のサーバからＪアラート情報や気象情報などを受信したり、各都道府県や各市区町村のサーバからＬアラート情報や防災情報などを受信したり、電気、ガス、通信を含むライフライン提供事業者のサーバから供給停止情報などを受信し、これらの情報をフォーマット変換などして緊急情報を配信する。
【００２４】
このように、この実施の形態では、クラウドとして情報提供サーバ３が一元的に情報を収集、配信しているが、各サーバから直接配信するようにしてもよい。また、この実施の形態では、インターネットＮＷを介して緊急情報を配信する。さらに、情報提供サーバ３は、後述するように、記憶装置として機能し、緊急情報を含む合成画像がテレビ受信機４に表示された日時、および、視聴者が所定の動作を行った日時が記憶される。
【００２５】
情報表示装置としてのテレビ受信機４は、受信したテレビ映像など（画像）を表示したり、受信した音声を出力したりする装置であり、各視聴者施設Ｈに配設されている。画像混合装置５は、視聴者施設Ｈに配設されてテレビ受信機４ごとに設けられたＩＰ−ＳＴＢ（Ｉｎｔｅｒｎｅｔ  Ｐｒｏｔｏｃｏｌ−Ｓｅｔ  Ｔｏｐ  Ｂｏｘ）であり、テレビ放送装置２と情報提供サーバ３とテレビ受信機４に通信自在に接続されている。
【００２６】
検知器としての解除ボタン６は、視聴者施設Ｈに配設されて画像混合装置５ごとに設けられ、画像混合装置５と通信自在に接続され、視聴者による所定の動作を検知する機器である。すなわち、この実施の形態では、押しボタンで構成され、押しボタンが押されることで、視聴者が解除ボタン６を操作した、という所定の動作を検知するものである。そして、所定の動作を検知すると、その検知結果を画像混合装置５に送信する。
【００２７】
画像混合装置５は、図２に示すように、主として、各インターフェイス５１〜５４と、入力部５５と、メモリ５６と、選別部５７と、合成部５８と、これらを制御などする中央処理部５９と、を備える。
【００２８】
第１のインターフェイス５１は、テレビ放送装置２と通信するためのインターフェイス（例えば、Ｈｉｇｈ  Ｄｅｆｉｎｉｔｉｏｎ  Ｍｕｌｔｉｍｅｄｉａ  Ｉｎｔｅｒｆａｃｅ）であり、テレビ放送装置２から受信した信号を復調する復調回路を含む。第２のインターフェイス５２は、情報提供サーバ３と通信するためのインターフェイスである。第３のインターフェイス５３は、テレビ受信機４と通信するためのインターフェイスであり、送信信号を変調する変調回路を含む。第４のインターフェイス５４は、解除ボタン６と通信するためのインターフェイスである。
【００２９】
入力部５５は、各種情報を入力するためのインターフェイスであり、入力される情報には、テレビ受信機４に表示すべき副情報（緊急情報）の属性が含まれる。ここで、表示すべき副情報の属性とは、表示すべき情報を識別するためのものであり、例えば、表示すべき情報の種類（例えば、地震、落雷、暴風、波浪）や、表示すべき情報のレベル（例えば、地震の場合の震度）、表示すべき情報に関わる地域（例えば、視聴者施設Ｈが位置する市区町村）などを含み、テレビ受信機４ごとに設定可能である。つまり、視聴者や視聴者施設Ｈの特性、地域、生活形態などに応じて任意に設定することできる。
【００３０】
メモリ５６は、各種情報を記憶する記憶装置であり、第１に、入力部５５で入力され、テレビ受信機４に表示すべき副情報の属性を記憶する。第２に、後述するように、画像混合装置５が主画像と副情報とを合成した合成画像をテレビ受信機４に送信した日時、つまり、緊急情報を含む合成画像がテレビ受信機４に表示された日時、および、解除ボタン６によって所定の動作が検知された日時、つまり、視聴者が所定の動作を行った日時を記憶する。
【００３１】
このように、この実施の形態では、緊急情報がテレビ受信機４に表示された日時と、視聴者が解除ボタン６を操作した日時の双方を記憶するが、要求仕様などに応じて、一方の日時のみを記憶してもよい。同様に、情報提供サーバ３と画像混合装置５の双方に日時を記憶しているが、要求仕様などに応じて、一方のみに記憶してもよい。
【００３２】
選別部５７は、情報提供サーバ３から緊急情報（副情報）を受信した場合に、この緊急情報の属性が、予めメモリ５６に記憶されテレビ受信機４に表示すべき緊急情報の属性に該当するか否かを判断するタスク・プログラムである。例えば、表示すべき緊急情報の属性として、地震および落雷に関する緊急情報であり、地震の場合には震度３以上であり、緊急情報に関わる地域が仙台市である、ことが記憶されている場合、情報提供サーバ３から受信した緊急情報がこのような属性の緊急情報であるか否かを判断する。
【００３３】
合成部５８は、テレビ放送装置２からのテレビ映像と情報提供サーバ３からの緊急情報とを合成・混合した合成画像（合成画像を表示するための画像信号）や、緊急情報（副情報）を表す画像などを生成する回路である。そして、この合成画像をテレビ受信機４が受信すると、テレビ映像と緊急情報を表す画像とが組み合わさった合成画像が表示される。この実施の形態では、例えばテレビ映像のみの場合には、図３（ａ）に示すように、テレビ受信機４の全画面４０の一面にテレビ映像が表示される。また、合成画像の場合には、図３（ｂ）に示すように、テレビ受信機４の全画面４０が、略長方形の第１の画面４１と略Ｌ字型の第２の画面４２とに分割され、第１の画面４１にテレビ映像が表示され第２の画面４２に緊急情報が表示される。
【００３４】
ここで、緊急情報は、主として文字として表示される。また、第１の画面４１と第２の画面４２の大きさは、中央処理部５９の制御によって、後述するように変えられ、さらに、中央処理部５９の制御によって、後述するように、全画面４０が第２の画面４２となって緊急情報のみが表示される。また、第１の画面４１を白黒表示にして第２の画面４２をカラー表示にすることで、緊急情報が目立つようにしてもよい。
【００３５】
中央処理部５９は、次のように情報表示システム１および画像混合装置５が作用、動作するように、各構成部５１〜５８を制御する。
【００３６】
まず、図４に示すように、画像混合装置５がテレビ放送装置２のみからテレビ放送信号（主画像）を受信している場合、テレビ映像のみがテレビ受信機４に表示される（ステップＳ１）。このとき、図５（ａ）に示すように、全画面４０の一面にテレビ映像が表示される。次に、画像混合装置５が、テレビ放送装置２からテレビ放送信号を受信中に情報提供サーバ３から緊急情報（副情報）を受信すると（ステップＳ２）、選別部５７が起動される（ステップＳ３）。そして、この緊急情報の属性が、予めメモリ５６に記憶されテレビ受信機４に表示すべき緊急情報の属性に該当するか否かが判断され、該当しない場合（ステップＳ４で「Ｎ」の場合）には、ステップＳ１に戻る。
【００３７】
一方、該当する場合（ステップＳ４で「Ｙ」の場合）には、緊急情報を表す画像が画像混合装置５からテレビ受信機４に送信される。すなわち、合成部５８が起動され（ステップＳ５）、テレビ映像と緊急情報とを合成した合成画像がテレビ受信機４に送信され、これを受けてテレビ受信機４に合成画像が表示される（ステップＳ６）。このとき、図５（ｂ）に示すように、面積が比較的大きい第１の画面４１にテレビ映像が表示され、面積が比較的小さい第２の画面４２に緊急情報が表示される。また、緊急情報とともに、解除ボタン６を押せば緊急情報が消える旨のメッセージが表示される。なお、合成画像が画像混合装置５からテレビ受信機４に送信されている場合でも、テレビ放送信号の音声やデータなどはそのままテレビ受信機４に送信される。
【００３８】
これに伴って、合成画像がテレビ受信機４に表示された日時と緊急情報を含む表示記憶情報が、メモリ５６に記憶される。さらに、この表示記憶情報が画像混合装置５から情報提供サーバ３に送信され、この表示記憶情報と画像混合装置５の識別情報が、情報提供サーバ３に記憶される。
【００３９】
このような合成画像表示状態で、視聴者による所定の動作が解除ボタン６で検知されると、つまり、視聴者が解除ボタン６を押すと（ステップＳ７で「Ｙ」の場合）、視聴者が操作した日時と緊急情報を含む操作記憶情報が、メモリ５６に記憶される。さらに、この操作記憶情報が画像混合装置５から情報提供サーバ３に送信され、この操作記憶情報と画像混合装置５の識別情報が、情報提供サーバ３に記憶される（ステップＳ８）。そして、合成画像表示状態が解除されてステップＳ１に戻り、テレビ放送信号のみが画像混合装置５からテレビ受信機４に送信され、図５（ｆ）に示すように、テレビ受信機４の全画面４０が第１の画面４１となってテレビ映像のみが表示される。
【００４０】
一方、視聴者が解除ボタン６を押さないで合成画像表示状態が所定時間継続すると（ステップＳ９で「Ｙ」の場合）、テレビ受信機４に表示される画像が変更される（ステップＳ１０）。すなわち、第１の所定時間継続すると、画像混合装置５の合成部５８によって、テレビ映像が小さくなり緊急情報が大きくなった合成画像がテレビ受信機４に送信され、これを受けて、図５（ｃ）に示すように、面積がやや小さくなった第１の画面４１にテレビ映像が表示され、面積がやや大きくなった第２の画面４２に緊急情報が表示される。同様に、さらに続けて第１の所定時間継続すると、図５（ｄ）に示すように、面積がさらに小さくなった第１の画面４１にテレビ映像が表示され、面積がさらに大きくなった第２の画面４２に緊急情報が表示される。
【００４１】
そして、合成画像表示状態が続けて（当初から連続して）第２の所定時間継続すると、画像混合装置５からテレビ受信機４に緊急情報のみを表す画像が送信され、図５（ｅ）に示すように、第１の画面４１が消滅して、全画面４０が第２の画面４２となって緊急情報のみが表示される。この表示状態も合成画像表示状態であり、解除ボタン６が押されれば、ステップＳ１に戻る。
【００４２】
ここで、緊急情報（副情報）のみを表示するとは、テレビ映像（主画像）を表示しないで、緊急情報のみに基づく画像を表示する、という意味であり、付加的情報（時刻など）が表示されていてもよい。同様に、テレビ映像のみを表示するとは、緊急情報を表示しないで、テレビ放送信号のみに基づく画像を表示する、という意味であり（通常のテレビ受信状態を意味し）、付加的情報が表示されていてもよい。また、第２の所定時間は、第１の所定時間経過による画面変更がすべて終了した後に到達するように、設定されている。
【００４３】
ところで、テレビ受信機４にテレビ映像が表示されていない状態、つまり、テレビ受信機４がスタンバイの状態で、テレビ受信機４に表示すべき緊急情報を画像混合装置５が情報提供サーバ３から受信した場合、画像混合装置５からテレビ受信機４に緊急情報のみを表す画像が送信される。これを受けてテレビ受信機４が起動し、全画面４０が第２の画面４２となって緊急情報のみが表示される。また、この状態で、テレビ受信機４を操作してテレビ受信を開始すると、上記のステップＳ５に移行し、テレビ映像と緊急情報との合成画像がテレビ受信機４に表示される。
【００４４】
このように、この情報表示システム１によれば、テレビ放送装置２からテレビ放送信号が送信されてテレビ映像のみがテレビ受信機４に表示中に、情報提供サーバ３から緊急情報が送信されると、テレビ映像と緊急情報とを合成した合成画像がテレビ受信機４に表示される。そして、この合成画像表示状態で視聴者が解除ボタン６を押すと、合成画像表示状態が解除されてテレビ映像のみがテレビ受信機４に表示される。すなわち、視聴者が緊急情報を見て解除ボタン６を押さなければ、合成画像が表示されたままになるため、緊急情報を視聴者により確実に認識させることが可能となる。
【００４５】
また、画像混合装置５がテレビ受信機４ごとに設けられ、画像混合装置５で合成画像を生成、送信するため、各テレビ受信機４つまり各視聴者に応じて緊急情報を表示して、緊急情報を視聴者により確実に認識させることが可能となる。例えば、テレビ受信機４の種類や形状などに応じて、緊急情報を認識しやすい合成画像を生成、表示することで、視聴者に緊急情報をより確実に認識させることが可能となる。
【００４６】
また、視聴者が解除ボタン６を押さずに、合成画像が表示されてから第１の所定時間ごとに順次、テレビ映像が小さくなり緊急情報が大きくなって表示されるため、視聴者に緊急情報をより確実に認識させることが可能となる。
【００４７】
さらに、視聴者が解除ボタン６を押さずに、合成画像が表示されてから第２の所定時間が経過すると、テレビ映像が消えて緊急情報のみが表示されるため、視聴者に緊急情報をより確実に認識させることが可能となる。
【００４８】
また、緊急情報を含む合成画像がテレビ受信機４に表示された日時と、視聴者が解除ボタン６を押すという所定の動作を行った日時が、情報提供サーバ３と画像混合装置５に記憶される。このため、緊急情報が適正に送信、表示されたか、視聴者が緊急情報を見たか、などを確認することができる。この結果、例えば、避難に遅れたり避難できなかったりした場合に、その原因を検証することが可能となる。
【００４９】
また、予め設定、記憶された属性に該当する緊急情報のみがテレビ受信機４に表示されるため、当該視聴者に知らせるべき緊急情報のみを選択的に表示させることが可能となる。この結果、無用な情報の提供を回避して、知らせるべき緊急情報を視聴者により確実に認識させることが可能となる。
【００５０】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、検知器として解除ボタン６を設け、解除ボタン６を押す、という所定の動作を検知しているが、検知器として各種センサや音声認識装置などを設けてもよい。例えば、音声認識装置を設け、視聴者による「緊急情報を読みました」という音声を認識することで、所定の動作を検知するようにしてもよい。また、検知器を画像混合装置５に一体的に設けてもよい。さらに、緊急情報を音声で出力する機能を画像混合装置５に備えてもよい。
【００５１】
また、上記の実施の形態では、情報表示装置がテレビ受信機４で主画像がテレビ映像の場合について説明したが、インターネット等から受信した情報を表示するパーソナルコンピュータのモニタ、街中や電車等で広告を表示するデジタルサイネージ、スクリーン等に情報を表示するプロジェクタ、カラオケシステムで映像を表示するモニタなどを、情報表示装置としてもよい。同様に、副情報が緊急情報の場合について説明したが、気象情報や広告、イベント情報などの他の情報を副情報として表示してもよい。
【符号の説明】
【００５２】
１        情報表示システム
２        テレビ放送装置（主画像提供装置）
３        情報提供サーバ（副情報提供装置、記憶装置）
４        テレビ受信機（情報表示装置）
５        画像混合装置
５６      メモリ（記憶装置）
６        解除ボタン（検知器）
【図１】
0006391624.tif 000002
【図２】
0006391624.tif 000003
【図３】
0006391624.tif 000004
【図４】
0006391624.tif 000005
【図５】
0006391624.tif 000006